(57)【要約】【課題】処理物の加熱を適正通り行わせるようにしながら、処理物の外表面の酸化スケールの生成を的確に防止することができるセラミックチューブ式加熱炉を提供する【解決手段】棒状で鋼製の複数の処理物Ｗを縦列状態で収納する処理物収納空間Ｋを内部に備える筒状に形成されたセラミックチューブ１が、一端側を処理物挿入口とし、かつ、他端側を処理物排出口３とする形態で、炉本体Ｈの内部に水平方向に沿う姿勢で配置され、酸化抑制ガス供給部Ｍから供給される酸化抑制ガスＱを処理物収納空間Ｋに処理物排出口３を通して供給するガス供給体１６が、セラミックチューブ１における処理物排出口３を形成する端部に密着させる状態で設けられ、ガス供給体１６に、酸化抑制ガスＱが内部を通流する多孔状のガス通流体１８が、処理物収納空間Ｋからの輻射熱にて加熱される状態で設けられている。【選択図】図５
2014209038.tif 000002
【特許請求の範囲】
【請求項１】
棒状で鋼製の複数の処理物を縦列状態で収納する処理物収納空間を内部に備える筒状に形成されたセラミックチューブが、一端側を処理物挿入口とし、かつ、他端側を処理物排出口とする形態で、炉本体の内部に水平方向に沿う姿勢で配置され、
前記セラミックチューブを外部より加熱する加熱手段が、前記炉本体に装備され、
前記処理物を前記処理物収納空間に前記処理物挿入口を通して押し込み供給する処理物供給部が、前記処理物挿入口に対向する状態で配設されたセラミックチューブ式加熱炉であって、
酸化抑制ガス供給部から供給される酸化抑制ガスを前記処理物収納空間に前記処理物排出口を通して供給するガス供給体が、前記セラミックチューブにおける前記処理物排出口を形成する端部に密着させる状態で設けられ、
前記ガス供給体に、前記酸化抑制ガスが内部を通流する多孔状のガス通流体が、前記処理物収納空間からの輻射熱にて加熱される状態で設けられているセラミックチューブ式加熱炉。
【請求項２】
前記ガス通流体が、炭化ケイ素にて形成されている請求項１記載のセラミックチューブ式加熱炉。
【請求項３】
前記ガス供給体が、前記処理物収納空間の内部から前記処理物排出口を通して排出される処理物を外部に通過させる処理物通路を開く通路開状態と前記処理物通路を閉じる通路閉状態とに切換え自在に構成されている請求項１又は２記載のセラミックチューブ式加熱炉。
【請求項４】
前記ガス供給体が、横倒れ姿勢の筒状で、かつ、前記処理物排出口から前記処理物の長さよりも大きく離間した位置に前記ガス通流体を備えるように構成され、
前記ガス供給体の底部における前記ガス通流体よりも前記処理物排出口に近接する処理物排出口側部分に、前記処理物通路を形成するための開口部が形成され、
前記ガス供給体が、前記開口部を蓋体によって開閉することにより、前記通路開状態と前記通路閉状態とに切換えられるように構成されている請求項３記載のセラミックチューブ式加熱炉。
【請求項５】
前記酸化抑制ガスが、窒素ガスである請求項１〜４のいずれか１項に記載のセラミックチューブ式加熱炉。
【請求項６】
前記酸化抑制ガスが、窒素ガスに、微量の燃料ガスと部分燃焼用空気とを混合させた混合ガスである請求項１〜４のいずれか１項に記載のセラミックチューブ式加熱炉。
【請求項７】
前記セラミックチューブが、前記処理物供給部の存在側に熱膨張すべく、前記処理物排出口の存在側部分が固定された状態で設けられ、
前記処理物供給部と前記セラミックチューブにおける前記処理物挿入口を形成する端部との間に、前記処理物供給部からの前記処理物を前記前記処理物挿入口に案内する筒状の補助案内部が設けられ、
前記補助案内部が、前記処理物供給部に隣接する箇所に設置される入口側筒体と、その入口側筒体と前記セラミックチューブの端部との間に設置されるコイルスプリングとから構成されている請求項１〜６のいずれか１項に載のセラミックチューブ式加熱炉。
【発明の詳細な説明】
【技術分野】
【０００１】
本発明は、棒状で鋼製の複数の処理物を縦列状態で収納する処理物収納空間を内部に備える筒状に形成されたセラミックチューブが、一端側を処理物挿入口とし、かつ、他端側を処理物排出口とする形態で、炉本体の内部に水平方向に沿う姿勢で配置され、
前記セラミックチューブを外部より加熱する加熱手段が、前記炉本体に装備され、
前記処理物を前記処理物収納空間に前記処理物挿入口を通して押し込み供給する処理物供給部が、前記処理物挿入口に対向する状態で配設されたセラミックチューブ式加熱炉に関する。
【背景技術】
【０００２】
かかるセラミックチューブ式加熱炉は、セラミックチューブを外部より加熱手段にて加熱することにより、セラミックチューブの内部の処理物収納空間に収納した処理物を、間接的に加熱して、処理物の外表面に酸化スケールが生成されることを防止できるようにしたものである（例えば、特許文献１参照。）。
【０００３】
すなわち、セラミックチューブ式加熱炉は、鍛造用の処理物を加熱するのに使用されることになり、上述の如く、処理物を間接的に加熱することにより、処理物の外表面に酸化スケールが生成されることを防止して、鍛造品の品質を向上することになる。
【０００４】
つまり、処理物の外表面に酸化スケールが生成されると、酸化スケールが鍛造用金型に噛み込むこと等により、製造された鍛造品が不良品になる等、鍛造品の品質が低下する不都合を発生する虞があるが、処理物の外表面に酸化スケールが生成されることを防止することにより、鍛造品の品質向上を図れるものとなる。
【０００５】
ちなみに、処理物は、処理物供給部によって、処理物挿入口を通して処理物収納空間に間欠的に供給されることになり、新たな処理物が処理物挿入口を通して処理物収納空間に供給されると、処理物収納空間に縦列状態で収納されている処理物のうちで、最も処理物排出口の存在側に位置する処理物が、処理物排出口から外部に押し出されることになる。
そして、押し出された処理物が、鍛造処理部に搬送されて鍛造処理されることになる。
【先行技術文献】
【特許文献】
【０００６】
【特許文献１】特開２０００−１２１２５２号公報
【発明の概要】
【発明が解決しようとする課題】
【０００７】
セラミックチューブ式加熱炉は、処理物を間接的に加熱することにより、処理物の外表面に酸化スケールが発生することを防止できるものであるが、処理物挿入口や処理物排出口より外気が処理物収納空間に侵入すること等に起因して、処理物収納空間に酸素が存在するため、処理物の外表面の酸化スケールの発生を、十分に抑制できないものであり、改善が望まれるものであった。
【０００８】
すなわち、処理物の外表面に酸化スケールが生成されると、酸化スケールが鍛造用金型に噛み込むこと等により、鍛造品の品質が低下する不都合を発生する虞があるため、処理物の外表面の酸化スケールの生成を的確に防止することが望まれるものとなるが、従来では、酸化スケールの生成を的確に防止できないものであった。
【０００９】
本発明は、上記実状に鑑みて為されたものであって、その目的は、処理物の加熱を適正通り行わせるようにしながら、処理物の外表面の酸化スケールの生成を的確に防止することができるセラミックチューブ式加熱炉を提供する点にある。
【課題を解決するための手段】
【００１０】
本発明のセラミックチューブ式加熱炉は、棒状で鋼製の複数の処理物を縦列状態で収納する処理物収納空間を内部に備える筒状に形成されたセラミックチューブが、一端側を処理物挿入口とし、かつ、他端側を処理物排出口とする形態で、炉本体の内部に水平方向に沿う姿勢で配置され、
前記セラミックチューブを外部より加熱する加熱手段が、前記炉本体に装備され、
前記処理物を前記処理物収納空間に前記処理物挿入口を通して押し込み供給する処理物供給部が、前記処理物挿入口に対向する状態で配設されたものであって、その第１特徴構成は、
酸化抑制ガス供給部から供給される酸化抑制ガスを前記処理物収納空間に前記処理物排出口を通して供給するガス供給体が、前記セラミックチューブにおける前記処理物排出口を形成する端部に密着させる状態で設けられ、
前記ガス供給体に、前記酸化抑制ガスが内部を通流する多孔状のガス通流体が、前記処理物収納空間からの輻射熱にて加熱される状態で設けられている点を特徴とする。
【００１１】
すなわち、セラミックチューブにおける処理物排出口を形成する端部に密着させる状態で設けられるガス供給体によって、酸化抑制ガスが処理物排出口を通して処理物収納空間に供給されるから、処理物収納空間の内部は、酸化抑制ガスが充満した状態となるため、処理物収納空間に収納されている処理物の外表面に酸化スケールが生成されることが、的確に防止されることになる。
【００１２】
つまり、本発明の第１特徴構成は、セラミックチューブにおける処理物挿入口に対向する箇所には、処理物供給部が存在するため、処理物挿入口を通して酸化抑制ガスを供給するための機器類を、セラミックチューブの処理物挿入口に対応させた状態で配置し難いものとなるが、セラミックチューブにおける処理物排出口に対向する箇所には、処理物排出口を通して処理物収納空間に酸化抑制ガスを供給するガス供給体を配置し易いことに鑑みて、ガス供給体をセラミックチューブにおける処理物排出口を形成する端部に密着させる状態で設けて、処理物排出口を通して酸化抑制ガスを処理物収納空間に供給して、処理物の外表面の酸化スケール生成を、的確に防止するようにしたものである。
【００１３】
ちなみに、処理物排出口を通して処理物収納空間に供給された酸化抑制ガスは、セラミックチューブにおける処理物挿入口を通して、順次セラミックチューブの外部に流動するものとなるから、酸化抑制ガスを継続して処理物収納空間に供給することになる。
【００１４】
また、本発明の第１特徴構成によれば、ガス供給体に、前記酸化抑制ガスが内部を通流する多孔状のガス通流体が、処理物収納空間からの輻射熱にて加熱される状態で設けられているから、処理物排出口を通して処理物収納空間に供給される酸化抑制ガスが、ガス通流体の内部を通流する際に加熱されるため、処理物収納空間に供給された酸化抑制ガスが、処理物収納空間に位置する処理物の温度を大きく低下させることを回避させることができるため、処理物の加熱を適正通り行わせることができることになる。
【００１５】
つまり、処理物排出口を通して酸化抑制ガスを処理物収納空間に供給すると、酸化抑制ガスが、処理物収納空間の内部に存在する複数の処理物のうちの処理物排出口の存在側に位置する処理物に接触して、その処理物の温度を低下させてしまうことになる。
【００１６】
本発明の第１特徴構成によれば、処理物収納空間に供給された酸化抑制ガスが、ガス通流体にて加熱されて高温になっているから、処理物収納空間に位置する処理物の温度を大きく低下させることを回避して、処理物の加熱を適正通り行わせることができる。
【００１７】
要するに、本発明の第１特徴構成によれば、処理物の加熱を適正通り行わせるようにしながら、処理物の外表面の酸化スケールの生成を的確に防止することができるセラミックチューブ式加熱炉を提供できる。
【００１８】
本発明のセラミックチューブ式加熱炉の第２特徴構成は、上記第１特徴構成に加えて、
前記ガス通流体が、炭化ケイ素にて形成されている点を特徴とする。
【００１９】
すなわち、炭化ケイ素は、熱伝導性に優れ、しかも、融点が２７３０℃程度であって、高温に耐え得るものであるから、炭化ケイ素にて形成されたガス通流体は、処理物収納空間からの輻射熱によって高温に加熱された状態で存在して、酸化抑制ガスを良好に加熱することができる。
尚、処理物収納空間の内部温度は、一般に、１２００℃程度であり、炭化ケイ素にて形成されたガス通流体は、処理物収納空間の輻射熱にて高温（例えば、１０００℃程度）に加熱されることになる。
【００２０】
つまり、酸化抑制ガスを、炭化ケイ素にて形成された高温のガス通流体によって、極力高温に加熱して、処理物収納空間に供給された酸化抑制ガスが、処理物収納空間に位置する処理物の温度を低下させることを極力回避できるのである。
【００２１】
要するに、本発明の第２特徴構成によれば、上記第１特徴構成による作用効果に加えて、処理物収納空間に供給された酸化抑制ガスによって、処理物収納空間に位置する処理物の温度が低下されることを極力回避できるセラミックチューブ式加熱炉を提供できる。
【００２２】
本発明のセラミックチューブ式加熱炉の第３特徴構成は、上記第１又は第２特徴構成に加えて、
前記ガス供給体が、前記処理物収納空間の内部から前記処理物排出口を通して排出される処理物を外部に通過させる処理物通路を開く通路開状態と前記処理物通路を閉じる通路閉状態とに切換え自在に構成されている点を特徴とする。
【００２３】
すなわち、処理物供給部によって、処理物挿入口を通して処理物収納空間に処理物を供給するときには、ガス供給体を、処理物収納空間の内部から処理物排出口を通して排出される処理物を外部に通過させる処理物通路を開く通路開状態に切換えることによって、処理物収納空間に縦列状態で収納されている処理物のうちで、最も処理物排出口の存在側に位置する処理物を、処理物通路を通して外部に排出させる。
【００２４】
また、処理物を処理物収納空間に供給しないときには、ガス供給体を、処理物通路を閉じる通路閉状態に切換えることにより、処理物通路を通して、外部の空気が処理物収納空間に侵入することを抑制する。
ちなみに、ガス供給体を通路開状態に切換えたときには、処理物通路を通して、空気が処理物収納空間に侵入する虞があるが、ガス供給体を通路開状態に切換える時間は、ガス供給体を通路閉状態に切換えて処理物を加熱する時間と較べれば、極めて短い時間であるため、処理物の外表面の酸化スケール生成を防止する上では、大きな問題とはならないものである。
【００２５】
このように、処理物通路を開く通路開状態と処理物通路を閉じる通路閉状態とにガス供給体を切換えながら、ガス供給体によって酸化抑制ガスを処理物収納空間に供給するものであるから、処理物の外表面の酸化を抑制するために必要となる酸化抑制ガスの消費量を減少させることができる。
【００２６】
説明を加えると、ガス供給体を通路開状態と通路閉状態とに切換えない場合には、処理物通路を常時開放状態とする形態で備えさせることになるから、その処理物通路からの空気の侵入を抑制するために、処理物通路を通して外部に流出させる状態で酸化抑制ガスを流動させることが考えられる。
【００２７】
しかしながら、この場合には、酸化抑制ガスが、処理物の外表面の酸化スケール生成の防止のために、処理物収納空間に供給されることに加えて、処理物通路を通した空気の侵入を回避するために、処理物通路を通して外部に流出させる状態で流動されることになることにより、酸化抑制ガスの消費量が増大する不都合がある。
【００２８】
要するに、本発明の第３特徴構成によれば、酸化抑制ガスの消費量が増大することを回避する形態で、処理物の外表面の酸化スケール生成を防止できるセラミックチューブ式加熱炉を提供できる。
【００２９】
本発明のセラミックチューブ式加熱炉の第４特徴構成は、上記第３特徴構成に加えて、
前記ガス供給体が、横倒れ姿勢の筒状で、かつ、前記処理物排出口から前記処理物の長さよりも大きく離間した位置に前記ガス通流体を備えるように構成され、
前記ガス供給体の底部における前記ガス通流体よりも前記処理物排出口に近接する処理物排出口側部分に、前記処理物通路を形成するための開口部が形成され、
前記ガス供給体が、前記開口部を蓋体によって開閉することにより、前記通路開状態と前記通路閉状態とに切換えられるように構成されている点を特徴とする。
【００３０】
すなわち、横倒れ姿勢の筒状で、かつ、処理物排出口から処理物の長さよりも大きく離間した位置にガス通流体を備えるように構成されたガス供給体の底部における、ガス通流体よりも処理物排出口に近接する処理物排出口側部分に、処理物通路を形成するための開口部が形成されている。
そして、ガス供給体が、開口部を蓋体によって開閉することにより、通路開状態と通路閉状態とに切換えられることになる。
【００３１】
このように、ガス供給体の底部におけるガス通流体よりも処理物排出口に近接する処理物排出口側部分に、処理物通路を形成するための開口部を形成することによって、処理物排出口から排出された処理物を外部に排出するための処理物通路を形成するものであるから、処理物通路を形成するための開口部の大きさを、処理物の通過を許容するだけの小さな大きさにすることができるため、ガス供給体を通路開状態に切換えたとき、つまり、開口部を開放したときに、処理物通路（開口部）を通して、空気が処理物収納空間に侵入する量を極力少なくすることができる。
【００３２】
つまり、ガス供給体を通路開状態に切換えたときに、処理物通路（開口部）を通して、空気が処理物収納空間に侵入する量を極力少なくすることができるため、処理物収納空間に空気が侵入することを極力抑制して、処理物の外表面の酸化スケールの生成を適切に抑制することができる。
【００３３】
説明を加えると、セラミックチューブにおける処理物排出口を形成する端部に密着させる状態で設けられガス供給体を、セラミックチューブの長手方向に沿って、セラミックチューブから離れる側に向けて処理物の長さ以上移動させることにより、ガス供給体とセラミックチューブにおける処理物排出口を形成する端部との間に、処理物通路を形成するための隙間を形成する状態を、通路開状態とし、ガス供給体をセラミックチューブにおける処理物排出口を形成する端部に密着させる状態を、通路閉状態とする形態で、ガス供給体を通路開状態と通路閉状態とに切換えるように構成することが考えられる。
【００３４】
この構成の場合には、通路開状態においては、ガス供給体とセラミックにおける処理物排出口を形成する端部との間に、処理物の長さ以上の隙間が形成されるものとなるから、通路開状態において、処理物通路を形成するための隙間を通して処理物収納空間に侵入する空気量が多くなる虞があるが、本発明の第４特徴構成によれば、通路開状態において、ガス供給体の底部を開口させるものであるから、通路開状態において、処理物収納空間に侵入する空気の量を極力減少させることが可能となるのである。
【００３５】
要するに、本発明の第４特徴構成によれば、上記第３特徴構成による作用効果に加えて、ガス供給体を通路開状態に切換えたときに処理物収納空間に侵入する空気量を極力少なくすることができるセラミックチューブ式加熱炉を提供できる。
【００３６】
本発明のセラミックチューブ式加熱炉の第５特徴構成は、上記第１〜第４特徴構成のいずれかに加えて、
前記酸化抑制ガスが、窒素ガスである点を特徴とする。
【００３７】
すなわち、窒素ガスは、不活性ガスであるため、酸化抑制ガスとして使用できるものであり、しかも、窒素ガスは、空気中に多量に含まれているものであるから、例えば、ＰＳＡ（Ｐｒｅｓｓｕｒｅ  Ｓｗｉｎｇ Ａｄｓｏｒｐｔｉｏｎ）式窒素ガス発生装置（圧力変動吸着式窒素ガス発生装置）を用いて、空気中から分離して生成する等、安価に生成することができるものである。
【００３８】
したがって、酸化抑制ガスとして、安価に生成することができる窒素ガスを用いることによって、ランニングコストの低下を図ることができる。
【００３９】
要するに、本発明の第５特徴構成によれば、上記第１〜第４特徴構成のいずれかによる作用効果に加えて、ランニングコストの低下を図ることができるセラミックチューブ式加熱炉を提供できる。
【００４０】
本発明のセラミックチューブ式加熱炉の第６特徴構成は、上記第１〜第４特徴構成のいずれかに加えて、
前記酸化抑制ガスが、窒素ガスに、微量の燃料ガスと部分燃焼用空気とを混合させた混合ガスである点を特徴とする。
【００４１】
すなわち、窒素ガスは、不活性ガスであるため、酸化抑制ガスとして使用できるものであり、しかも、窒素ガスは、空気中に多量に含まれているものであるから、例えば、ＰＳＡ（Ｐｒｅｓｓｕｒｅ  Ｓｗｉｎｇ Ａｄｓｏｒｐｔｉｏｎ）式窒素ガス発生装置（圧力変動吸着式窒素ガス発生装置）を用いて、空気中から分離して生成する等、安価に生成することができるものである。
【００４２】
したがって、酸化抑制ガスとして、安価に生成することができる窒素ガスを用いることによって、ランニングコストの低下を図ることができる。
【００４３】
ところで、窒素生成用のＰＳＡ式窒素ガス発生装置を用いて、空気中から分離して窒素ガスを生成する場合には、９９.９９〜９９.９９９％の純度で窒素ガスを生成できるものの、微量ではあるが、窒素ガス中には、酸素が残存することになる。
【００４４】
本発明の第６特徴構成によれば、酸化抑制ガスが、窒素ガスに、微量の燃料ガスと部分燃焼用空気とを混合させた混合ガスであるから、窒素ガス中に存在する酸素を、燃料ガスの部分燃焼に消費させることができるため、処理物の外表面に酸化スケールが生成されることを的確に抑制できる。
【００４５】
ちなみに、燃料ガスがメタンンを主成分とする都市ガスである場合には、部分燃焼用空気として、０．２の空気比で空気を供給することにより、Ｈ2／Ｈ2Ｏのバランス、及び、ＣＯ／ＣＯ2のバランスを、エリンガム図において、鋼を還元する領域のバランスにして、処理物の外表面に酸化スケールが生成されることを的確に抑制できる。
【００４６】
尚、処理物収納空間には、還元機能を有するＣＯやＨ2が存在するものとなるが、処理物排出口を通してセラミックチューブの外部に流出する際に、ＣＯやＨ2は、外部の空気中に存在する酸素と結合して、ＣＯ2やＨ2Ｏとなるため、ＣＯやＨ2が外部に排出されることはない。
【００４７】
要するに、本発明の第６特徴構成によれば、上記第１〜第４特徴構成のいずれかによる作用効果に加えて、ランニングコストの低下を図ることができ、しかも、処理物の外表面に酸化スケールが生成されることを的確に抑制できるセラミックチューブ式加熱炉を提供できる。
【００４８】
本発明のセラミックチューブ式加熱炉の第７特徴構成は、上記第１〜第６特徴構成のいずれかに加えて、
前記セラミックチューブが、前記処理物供給部の存在側に熱膨張すべく、前記処理物排出口の存在側部分が固定された状態で設けられ、
前記処理物供給部と前記セラミックチューブにおける前記処理物挿入口を形成する端部との間に、前記処理物供給部からの前記処理物を前記前記処理物挿入口に案内する筒状の補助案内部が設けられ、
前記補助案内部が、前記処理物供給部に隣接する箇所に設置される入口側筒体と、その入口側筒体と前記セラミックチューブの端部との間に設置されるコイルスプリングとから構成されている点を特徴とする。
【００４９】
すなわち、セラミックチューブが、処理物供給部の存在側に熱膨張すべく、処理物排出口の存在側部分が固定された状態で設けられているから、炉本体に装備した加熱手段によって外部から加熱されるセラミックチューブは、処理物供給部の存在側に熱膨張することになる。
【００５０】
処理物供給部とセラミックチューブにおける処理物挿入口を形成する端部との間には、処理物供給部からの処理物を処理物挿入口に案内する筒状の補助案内部が設けられているから、処理物供給部からの処理物を、補助案内部にて案内しながら処理物挿入口に導入することができる。
【００５１】
そして、補助案内部が、処理物供給部に隣接する箇所に設置される入口側筒体と、その入口側筒体とセラミックチューブの端部との間に設置されるコイルスプリングとから構成されているから、入口側筒体を、処理物供給部に隣接する箇所に位置させ続けるようにしながら、セラミックチューブの熱膨張に応じてコイルスプリングを弾性伸縮させることによって、セラミックチューブの熱膨張に拘わらず、処理物供給部からの処理物を、補助案内部にて適切に処理物挿入口に案内することができる。
【００５２】
尚、セラミックチューブの処理物排出口を通して処理物収納空間に供給された酸化抑制ガスは、セラミックチューブにおける処理物排出口を通して、セラミックチューブの外部に流動したのち、コイルスプリングの隙間部分を通過して外部に流動することになる。
【００５３】
しかも、セラミックチューブが、処理物供給部の存在側に熱膨張すべく、処理物排出口の存在側部分が固定された状態で設けられているから、セラミックチューブの熱膨張に拘わらず、セラミックチューブの処理物排出口の位置が変動しないため、ガス供給体を、セラミックチューブにおける処理物排出口を形成する端部に密着させる状態で良好に設けることができる。
【００５４】
つまり、セラミックチューブが、処理物挿入口の存在側部分が固定された状態で設けられている場合には、セラミックチューブが熱膨張すると、セラミックチューブの処理物排出口の位置がセラミックチューブの長手方向に変動するため、ガス供給体をセラミックチューブにおける処理物排出口を形成する端部に密着させる状態で設けるには、ガス供給体をセラミックチューブの熱膨張に伴って移動する形態で支持する等、ガス供給体の支持構造が複雑になるが、本発明の第７特徴構成によれば、セラミックチューブの熱膨張に拘わらず、セラミックチューブの処理物排出口の位置が変動しないため、セラミックチューブにおける処理物排出口を形成する端部に密着させる状態でガス供給体を設けることを良好に行える。
【００５５】
要するに、本発明の第７特徴構成によれば、上記第１〜第６特徴構成のいずれかによる作用効果に加えて、セラミックチューブの熱膨張に拘わらず、処理物供給部からの処理物を、補助案内部にて適切に処理物挿入口に案内することができ、しかも、ラセラミックチューブにおける処理物排出口を形成する端部に密着させる状態でガス供給体を設けることを良好に行えるセラミックチューブ式加熱炉を提供できる。
【図面の簡単な説明】
【００５６】
【図１】セラミックチューブ式加熱炉の縦断側面図
【図２】処理物供給状態のセラミックチューブ式加熱炉の縦断側面図
【図３】セラミックチューブの処理物挿入口側部分を示す一部切欠側面図
【図４】セラミックチューブの処理物挿入口側部分を示す正面図
【図５】セラミックチューブの処理物排出口側部分を示す縦断側面図
【図６】別実施形態のガス供給体を示す縦断側面図
【図７】別実施形態のガス供給体の通路開状態を示す縦断側面図
【図８】図７のＶＩＩＩ−ＶＩＩＩ線矢視図
【発明を実施するための形態】
【００５７】
以下、本発明の実施形態を図面に基づいて説明する。
（セラミックチューブ式加熱炉の全体構成）
図１及び図２に示すように、セラミックチューブ式加熱炉は、棒状で鋼製の複数の処理物Ｗを縦列状態で収納する処理物収納空間Ｋを内部に備える筒状に形成されたセラミックチューブ１を、一端側を処理物挿入口２とし、かつ、他端側を処理物排出口３とする形態で、炉本体Ｈの内部に水平方向に沿う姿勢で配置し、セラミックチューブ１を外部より加熱する加熱手段としての加熱用バーナ４を、炉本体Ｈに装備し、そして、処理物Ｗを処理物収納空間Ｋに処理物挿入口２を通して押し込み供給する処理物供給部Ｆを、処理物挿入口２に対向する状態で配設する形態に構成されている。
【００５８】
加熱用バーナ４は、炉本体Ｈの天井部に設置されて、都市ガス等の燃料ガスＧを空気予熱用熱交換器５から供給される予め予熱された燃焼用空気Ａにより燃焼させて、セラミックチューブ１を加熱するための高温の燃焼排ガスＥを生成するように構成されている。
つまり、加熱用バーナ４の燃焼排ガスＥが、セラミックチューブ１における処理物排出口３の存在側部分（チューブ後方側部分）に向けて流動したのち、セラミックチューブ１における処理物挿入口２の存在側部分（チューブ前方側部分）に向けて、セラミックチューブ１の長手方向に沿って流動することにより、セラミックチューブ１が外部から加熱されるように構成されている。
【００５９】
また、セラミックチューブ１のチューブ前方側部分に流動した燃焼排ガスＥが、空気予熱用熱交換器５を通過して、炉本体Ｈの外部に排出されるように構成されている。
つまり、空気予熱用熱交換器５は、燃焼排ガスＥとブロア（図示せず）にて送風される空気とを熱交換して、予め予熱された燃焼用空気Ａを生成するように構成されている。
【００６０】
（セラミックチューブの構成）
セラミックチューブ１は、窒化ケイ素や炭化ケイ素などのセラミック材によって筒状に成型されるものであって、耐熱性が高くかつ熱伝導性が優れた状態に構成されている。
ちなみに、本実施形態においては、処理物Ｗが、外径が５０ｍｍで、長さが１５０ｍｍであるのに応じて、セラミックチューブ１は、例えば、内径が６５ｍｍで、長さが１５０ｍｍ程度に形成されており、処理物収納空間Ｋには、処理物Ｗが縦列状態で１０個並ぶように構成されているが、これら寸法や処理物Ｗを縦列状態で並置する個数等については、適宜変更できる。
【００６１】
尚、図示は省略するが、炉本体Ｈには、６本のセラミックチューブ１が、互いに平行となる姿勢で横並び状態で並置されており、６本のセラミックチューブ１を用いて処理物Ｗを加熱するように構成されているが、説明を簡略化するために、以下においては、炉本体Ｈには、１本のセラミックチューブ１が設けられるものとして説明を続ける。
【００６２】
セラミックチューブ１が、処理物供給部Ｆの存在側に熱膨張すべく、処理物排出口３の存在側部分（チューブ後方側部分）が固定された状態で設けられている。
すなわち、セラミックチューブ１が、長手方向の中間部分が炉本体Ｈの底壁部分Ｈｔに載置支持され、かつ、チューブ前方側部分を炉本体Ｈの前壁部分Ｈｆを貫通させ、チューブ後方側部分を炉本体Ｈの後壁部分Ｈｒを貫通させた状態で設けられている。
【００６３】
そして、チューブ後方側部分が炉本体Ｈの後壁部分Ｈｒに固定状態で支持され、かつ、チューブ前方側部分が炉本体Ｈの前壁部分Ｈｆに移動自在に支持されることによって、セラミックチューブ１が、処理物供給部Ｆの存在側に熱膨張できるように構成されている。
ちなみに、炉本体Ｈの後壁部分Ｈｒには、セラミックチューブ１の処理物排出口３から排出された処理物Ｗを加熱後処理物搬送部Ｊに向けて受け止め案内する傾斜状の案内部Ｕが設けられており、処理物排出口３から排出された処理物Ｗは、加熱後処理物搬送部Ｊによって鍛造処理部（図示せず）に搬送されることになる。
【００６４】
（補助案内部の構成）
上述の如く、セラミックチューブ１が処理物供給部Ｆの存在側に熱膨張できるように構成されることに合わせて、処理物供給部Ｆとセラミックチューブ１における処理物挿入口２を形成する端部との間に、処理物供給部Ｆからの処理物Ｗを処理物挿入口２に案内する筒状の補助案内部Ｄが、弾性伸縮自在な状態で設けられている。
【００６５】
すなわち、補助案内部Ｄは、図３に示すように、処理物供給部Ｆに隣接する箇所に設置される入口側筒体６と、その入口側筒体６とセラミックチューブ１の端部との間に設置されるコイルスプリング７とから構成されている。
つまり、入口側筒体６が、支持枠８にて固定支持された状態で設けられ、コイルスプリング７が、一端側を入口側筒体６に支持され、他端側をセラミックチューブ１に支持された状態で設けられている。
【００６６】
そして、補助案内部Ｄは、コイルスプリング７の弾性伸縮作用によって、弾性伸縮自在に構成されるものであって、セラミックチューブ１が熱膨張すると、コイルスプリング７が弾性収縮する作用によって、セラミックチューブ１の熱膨張を吸収するように構成されている。
【００６７】
（処理物供給部の構成）
処理物供給部Ｆは、処理物Ｗを補助案内部Ｄに対向する位置に載置搬送する搬送コンベヤ１１と、搬送コンベヤ１１にて搬送されてきた処理物Ｗを押し込み搬送するプッシュ機構部１２とを備える形態に構成され、プッシュ機構部１２には、セラミックチューブ１の長手方向に沿って往復駆動されるプッシュロッド１２Ａが装備されている。
【００６８】
プッシュ機構部１２は、搬送コンベヤ１１にて搬送されてきた処理物Ｗをセラミックチューブ１に供給する際には、プッシュロッド１２Ａをセラミックチューブ１に存在側に向けて往動作動させて、搬送コンベヤ１１にて搬送されてきた処理物Ｗを、補助案内部Ｄを通過させるように搬送したのち、処理物挿入口２を通してセラミックチューブ１の処理物収納空間Ｋの内部に押し込み供給することになり（図２参照）、押し込み供給後は、プッシュロッド１２Ａをセラミックチューブ１から離間する側に向けて復動作動させることになる（図１参照）。
【００６９】
すなわち、処理物供給部Ｆは、設定周期（例えば、２０分）で間欠的に処理物Ｗをセラミックチューブ１に供給すべく、搬送コンベヤ１１及びプッシュ機構部１２を作動させて、セラミックチューブ１に処理物Ｗを押し込み供給することになる。
そして、処理物供給部Ｆにて処理物Ｗが新たにセラミックチューブ１に供給されると、処理物収納空間Ｋに縦列状態で収納されている処理物Ｗのうちで、最も処理物排出口３の存在側に位置する処理物Ｗが、処理物排出口３から外部に押し出されることになる（図２参照）。
【００７０】
セラミックチューブ１から押し出された処理物Ｗは、上述の如く、案内部Ｕにて案内されながら加熱後処理物搬送部Ｊに受け渡されて、鍛造処理部に搬送されて鍛造処理されることになる。
ちなみに、鍛造処理部は、供給される加熱後の処理物Ｗを鍛造処理する鍛造金型を備えて、所望の鍛造品を製作することになる。
【００７１】
尚、搬送コンベ１１は、上述したように並列配置された複数のセラミックチューブ１の夫々に対して供給する処理物Ｗを搬送することになり、そして、プッシュ機構部２０は、上述したように並列配置された複数のセラミックチューブ１の夫々に対して各別に設けられることになる。
【００７２】
（酸化抑制ガスの供給構成）
図１及び図５に示すように、酸化抑制ガスＱを供給する酸化抑制ガス供給部Ｍが設けられ、酸化抑制ガス供給部Ｍからガス供給管１５を通して酸化抑制ガスＱが供給されるガス供給体１６が、セラミックチューブ１における処理物排出口３を形成する端部に密着させる状態で設けられている。
【００７３】
すなわち、ガス供給体１６は、有底筒状に形成されるものであって、その底壁部にガス供給管１５が接続され、かつ、開口側の端部をセラミックチューブ１における処理物排出口３を形成する端部に密着させる横倒れ姿勢で設けられている。
そして、ガス供給管１５を通してガス供給体１６に供給される酸化抑制ガスＱが、セラミックチューブ１の処理物収納空間Ｋに処理物排出口３を通して供給するように構成されている。
尚、ガス供給体１６の開口側の端部には、シール材１７が装着されている。
【００７４】
また、図５に示すように、ガス供給体１６に、酸化抑制ガスＱが内部を通流する多孔状のガス通流体１８が、処理物収納空間Ｋからの輻射熱にて加熱される状態で設けられている。
すなわち、ガス通流体１８は、炭化ケイ素にて多孔状（ポーラス状）に形成されて、ガス供給体１６の底部側箇所に装着されている。
【００７５】
そして、ガス供給管１５を通してガス供給体１６に供給される酸化抑制ガスＱが、ガス通流体１８の内部を通流する際に高温に加熱されたのち、セラミックチューブ１の処理物収納空間Ｋに流動するように構成されている。
尚、セラミックチューブ１の処理物収納空間Ｋの温度は、一般に、１２００℃程度であり、炭化ケイ素にて多孔状に形成されたガス通流体１８は、処理物収納空間Ｋの輻射熱にて高温（例えば、１０００℃程度）に加熱されることになる。
【００７６】
また、ガス供給体１６が、処理物収納空間Ｋの内部から処理物排出口３を通して排出される処理物Ｗを外部に通過させる処理物通路Ｒを開く通路開状態（図２参照）と、処理物通路Ｒを閉じる通路閉状態（図１、図５参照）とに切換え自在に構成されている。
【００７７】
すなわち、ガス供給体１６をセラミックチューブ１の長手方向に移動操作する空気圧式の移動操作用シリンダ１９が設けられ、ガス供給体１６が、移動操作用シリンダ１９のシリンダロッド１９ａに支持されている。
そして、移動操作用シリンダ１９の伸縮作動により、ガス供給体１６が処理物通路Ｒを開く通路開状態（図２参照）と処理物通路Ｒを閉じる通路閉状態（図１、図５参照）とに切換えられるように構成されている。
【００７８】
つまり、通路閉状態においては、セラミックチューブ１における処理物排出口３を形成する端部に密着させる位置にガス供給体１６が操作されることになる。
また、通路開状態においては、セラミックチューブ１の長手方向に沿って、ガス供給体１６がセラミックチューブ１から離れる側に向けて処理物Ｗの長さ以上移動した位置に操作されることになり、この状態においては、ガス供給体１６とセラミックチューブ１における処理物排出口３を形成する端部との間に、処理物通路Ｒを形成するための隙間が形成されることになる。
【００７９】
したがって、図２に示すように、処理物供給部Ｆによって処理物Ｗを処理物収納空間Ｋに供給する際には、ガス供給体１６が通路開状態に切換えられて、処理物排出口３から外部に押し出される処理物Ｗが、処理物通路Ｒを通して排出されることになる。
【００８０】
（酸化抑制ガス供給部の構成）
図５に示すように、酸化抑制ガス供給部Ｍは、窒素ガスに、微量の燃料ガスとしての都市ガスと部分燃焼用空気とを混合させた混合ガスを、酸化抑制ガスＱとして供給するように構成されている。
すなわち、酸化抑制ガス供給部Ｍには、ＰＳＡ式窒素ガス発生装置２０、燃料ガスとしてのメタンを主成分とする都市ガスを供給する都市ガス供給部２１、及び、部分燃焼用空気として燃焼用空気を供給するブロア２２が装備されている。
【００８１】
そして、都市ガス供給部２１からの都市ガスにブロア２２からの燃焼用空気を混合した予混合ガスが、ＰＳＡ式窒素ガス発生装置２０から供給される窒素ガスに供給されて、酸化抑制ガスＱが作成されるように構成されている。
【００８２】
尚、ＰＳＡ式窒素ガス発生装置２０は、空気中に含まれている窒素ガスを分離して供給するものであり、ＰＳＡ（Ｐｒｅｓｓｕｒｅ  Ｓｗｉｎｇ Ａｄｓｏｒｐｔｉｏｎ）式とは、圧力変動吸着式を意味することになるが、ＰＳＡ式窒素ガス発生装置２０の具体構成は周知であるので、本実施形態においては詳細な説明を省略する。
【００８３】
本実施形態の酸化抑制ガスＱは、ＰＳＡ式窒素ガス発生装置２０にて生成された窒素ガスをベースとして、微量の都市ガスと部分燃焼用空気とを混合させた混合ガスとして構成されるものであるから、処理物の外表面に酸化スケールが生成されることを的確に抑制できる。
【００８４】
説明を加えると、ＰＳＡ式窒素ガス発生装置２０を用いて、空気中から分離して窒素ガスを生成する場合には、９９.９９〜９９.９９９％の純度で窒素ガスを生成できるものの、微量ではあるが、窒素ガス中には、酸素が残存することになる。
尚、本実施形態においては、ＰＳＡ式窒素ガス発生装置２０が、９９.９９％の純度で窒素ガスを生成するように構成されている。
【００８５】
ＰＳＡ式窒素ガス発生装置２０にて生成された窒素ガス中には、酸素が残存するものの、酸化抑制ガスＱが、ＰＳＡ式窒素ガス発生装置２０にて生成された窒素ガスに、微量の都市ガスと部分燃焼用空気とを混合させた混合ガスであるから、窒素ガス中に存在する酸素を、都市ガスの部分燃焼により消費させることができるため、処理物Ｗの外表面に酸化スケールが生成されることを的確に抑制できるのである。
【００８６】
ちなみに、燃料ガスがメタンを主成分とする都市ガスである場合には、部分燃焼用空気として、０．２の空気比で燃焼用空気を供給することにより、Ｈ2／Ｈ2Ｏのバランス、及び、ＣＯ／ＣＯ2のバランスを、エリンガム図において、鋼を還元する領域のバランスにできるため、処理物Ｗの外表面に酸化スケールが生成されることを的確に抑制できることになる。
【００８７】
そして、処理物収納空間Ｋに供給された酸化抑制ガスＱは、処理物挿入口２を通してセラミックチューブ１の外部に流出するものとなるから、酸化抑制ガス供給部Ｍは、酸化抑制ガスＱを処理物収納空間Ｋに供給することを継続することになる。
ちなみに、処理物収納空間Ｋに供給する酸化抑制ガスＱの供給量は、処理物収納空間Ｋが１時間当たり２０回程度換気する量に設定されることになる。
【００８８】
尚、処理物収納空間Ｋには、還元機能を有するＣＯやＨ2が存在するものとなるが、処理物収納空間Ｋに供給された処酸化抑制ガスＱが処理物挿入口２を通してセラミックチューブ１の外部に流出する際に、ＣＯやＨ2は、外部の空気中に存在する酸素と結合して、ＣＯ2やＨ2Ｏとなるため、ＣＯやＨ2が外部に排出されることはない。
【００８９】
以上の通り、本実施形態によれば、酸化抑制ガスＱのベースとなる窒素ガスを、ＰＳＡ式窒素ガス発生装置２０にて生成するものであるから、酸化抑制ガスＱの生成コストを低下できるため、ランニングコストの低下を図る形態で、処理物Ｗの外表面に酸化スケールが生成されることを抑制できるのである。
【００９０】
しかも、酸化抑制ガスＱが、ＰＳＡ式窒素ガス発生装置２０にて生成された窒素ガスに、微量の都市ガスと部分燃焼用の燃焼用空気とを混合させた混合ガスであるから、窒素ガス中に存在する酸素を、都市ガスの部分燃焼に消費させることができるため、処理物Ｗの外表面に酸化スケールが生成されることを的確に抑制できるのである。
【００９１】
〔別実施形態〕
次に、別実施形態を説明するが、この別実施形態は、ガス供給体１６を通路開状態と通路閉状態とに切換える別形態を示すものであって、その他の構成は上記実施形態と同様であるので、上記実施形態と異なる部分についてのみ説明して、上記実施形態と同様な構成については、上記実施形態と同じ符号を付して、詳細な説明を省略する。
【００９２】
図６及び図７に示すように、ガス供給体１６が、有底筒状に形成されて、その底壁部にガス供給管１５が接続され、かつ、開口側の端部をセラミックチューブ１における処理物排出口３を形成する端部に密着させる横倒れ姿勢で設けられている点は、上記実施形態と同様である。
【００９３】
この別実施形態では、ガス供給体１６が、処理物排出口３から処理物Ｗの長さよりも大きく離間した位置にガス通流体１８を備えるように構成されて、開口側の端部をセラミックチューブ１における処理物排出口３を形成する端部に密着させる形態で固定状態に設置されている。
【００９４】
図７及び図８に示すように、ガス供給体１６の底部におけるガス通流体１８よりも処理物排出口３に近接する処理物排出口側部分に、処理物通路Ｒを形成するための開口部２３が形成され、その開口部２３を開閉する蓋体２４が設けられている。
蓋体２４は、空気圧式の蓋体操作用シリンダ２５にて、開口部２３を閉塞する閉位置と開口部２３を開放する開位置とにスライド操作されるように構成されている。
【００９５】
したがって、ガス供給体１６が、開口部２３を蓋体２４によって開閉することにより、通路開状態と通路閉状態とに切換えられるように構成されている。
つまり、処理物供給部Ｆによって処理物Ｗを処理物収納空間Ｋに供給する際には、ガス供給体１６が通路開状態に切換えられて、処理物排出口３から外部に押し出される処理物Ｗが、処理物通路Ｒを通して排出されることになる。
【００９６】
以上の通り、この別実施形態によれば、ガス供給体１６の底部の開口部２３を蓋体２４によって開閉することにより、ガス供給体１６が通路開状態と通路閉状態に切換えられるものであるから、通路開状態においては、ガス供給体１６の底部の開口部２３のみが開放状態となるものであるため、通路開状態において処理物収納空間Ｋに侵入する空気量を減少させることができる。
【００９７】
〔その他の別の実施形態〕
以下、その他の別の実施形態を列記する。
（１）上記実施形態及び別実施形態では、酸化抑制ガスＱを、ＰＳＡ式窒素ガス発生装置２０に生成された窒素ガスに、微量の燃料ガスとしての都市ガスと部分燃焼用空気とを混合させた混合ガスとして構成する場合を例示したが、酸化抑制ガスＱとして、窒素ガスを用いるようにしてもよい。
【００９８】
この場合、窒素ガスとして、ＰＳＡ式窒素ガス発生装置２０にて生成された窒素ガスを用いるようにしてもよいが、ＰＳＡ式窒素ガス発生装置２０にて生成された窒素ガスよりも純度の高い市販の窒素ガスを用いるようにしてもよい。
【００９９】
さらに、酸化抑制ガスＱとして、アルゴン、ヘリウム、ネオンなどの入手が容易な市販の不活性ガスを用いるようにしてもよい。
【０１００】
（２）上記実施形態及び別実施形態では、セラミックチューブ１が、処理物供給部Ｆの存在側に熱膨張すべく、処理物排出口３の存在側部分（チューブ後方側部分）が固定された状態で設けられ場合を例示したが、セラミックチューブ１の処理物挿入口２の存在側部分（チューブ前方側部分）を固定した状態で設けて、セラミックチューブ１を後方側に向けて熱膨張させる形態で実施してもよい。
【０１０１】
この場合、ガス供給体１６を、セラミックチューブ１における処理物排出口３を形成する端部に密着させる形態で設けるにあたり、セラミックチューブ１の熱膨張を許容させるために、セラミックチューブ１の長手方向に移動自在に弾性支持させることになる。
【０１０２】
（３）上記実施形態及び別実施形態では、ガス通流体１８が、炭化ケイ素にて形成される場合を例示したが、ガス通流体１８を形成する材料としては、熱伝導性や耐熱性に優れる種々の材料を用いることができる。
【０１０３】
（４）上記実施形態及び別実施形態では、セラミックチューブ１を外部より加熱する加熱手段としての加熱用バーナ４が、炉本体Ｈの天井部に設けられる場合を例示したが、加熱バーナ４を炉本体Ｈの底部に設け、燃焼排ガスＥをセラミックチューブ１の上方空間に導くようにする等、加熱手段の具体構成は各種変更できる。
【符号の説明】
【０１０４】
１        セラミックチューブ
２        処理物挿入口
３        処理物排出口
４        加熱手段
６        入口側筒体
７        コイルスプリング
１６      ガス供給体
１８      ガス通流体
２３      開口部
２４      蓋体
Ｄ        補助案内部
Ｆ        処理物供給部
Ｈ        炉本体
Ｋ        処理物収納空間
Ｑ        酸化抑制ガス
Ｒ        処理物通路
Ｗ        処理物
【図１】
2014209038.tif 000003
【図２】
2014209038.tif 000004
【図３】
2014209038.tif 000005
【図４】
2014209038.tif 000006
【図５】
2014209038.tif 000007
【図６】
2014209038.tif 000008
【図７】
2014209038.tif 000009
【図８】
2014209038.tif 000010